(57)【要約】【課題】手動でのフォーカス調整をより容易に行えるようにするのに有効な撮像装置を提供する。【解決手段】撮像装置は、表示部と、撮像面に結像する被写体像を撮像して画像データを出力するように構成された撮像部と、画像データ内の単数または複数の被写体のそれぞれに対する距離情報を取得するように構成された距離情報取得部と、画像データに基づく画像を表示部に表示するように構成された表示制御部と、を備える。表示制御部は、互いに異なる複数の色を、撮像装置からの距離に応じて区切られた複数の領域のそれぞれに対応付けし、距離情報に基づき各被写体が複数の領域のいずれに該当するかを判断し、撮像された各被写体を、該当する領域に対応付けられた色で表示部に表示するように、構成される。【選択図】図５Ｂ
2015004960.tif 000002
【特許請求の範囲】
【請求項１】
表示部と、
撮像面に結像する被写体像を撮像して画像データを出力するように構成された撮像部と、
前記画像データ内の単数または複数の被写体のそれぞれに対する距離情報を取得するように構成された距離情報取得部と、
前記画像データに基づく画像を前記表示部に表示するように構成された表示制御部と、を備えた撮像装置であって、
前記表示制御部は、
互いに異なる複数の色を、前記撮像装置からの距離に応じて区切られた複数の領域のそれぞれに対応付けし、前記距離情報に基づき各被写体が複数の前記領域のいずれに該当するかを判断し、撮像された各被写体を、該当する前記領域に対応付けられた色で前記表示部に表示するように構成された、
撮像装置。
【請求項２】
フォーカス調整用のフォーカスレンズと、
フォーカス調整のための手動操作を受け付けるように構成されたフォーカス操作部と、
前記手動操作に応じて前記フォーカスレンズを光軸方向に駆動すると共に、前記フォーカスレンズの位置をフォーカス位置として取得し、前記フォーカス位置に基づき前記撮像装置から前記撮像面においてフォーカスが合っている被写体までの距離を取得するように構成されたフォーカス制御部と、をさらに備え、
前記表示制御部は、
前記手動操作の操作方向を示すガイド画像を前記表示部に表示すると共に、前記ガイド画像に、現在の前記フォーカス位置、および前記手動操作の操作方向と前記手動操作により変化する前記フォーカス位置との関係、を示すように構成された
請求項１記載の撮像装置。
【請求項３】
前記表示制御部は、前記ガイド画像を、前記複数の色で色分けするとともに、前記手動操作により変化する前記フォーカス位置と前記複数の色とを関連付け、前記フォーカス位置が遠景側に移動する前記手動操作の操作方向を示す部分には、相対的に遠い前記領域に対応付けられた色を配置し、前記フォーカス位置が近景側に移動する前記手動操作の操作方向を示す部分には、相対的に近い前記領域に対応付けられた色を配置するように構成された、
請求項２記載の撮像装置。
【請求項４】
前記表示制御部は、前記ガイド画像の、中央部分には、現在の前記フォーカス位置から取得される被写体までの距離に対応する前記領域に対応付けられた色を配置し、前記フォーカス位置が現在よりも遠景に移動する前記手動操作の操作方向を示す部分には、現在の前記フォーカス位置から取得される被写体までの距離よりも遠い前記領域に対応付けられた色を配置し、前記フォーカス位置が現在よりも近景に移動する前記手動操作の操作方向を示す部分には、現在の前記フォーカス位置から取得される被写体までの距離よりも近い前記領域に対応付けられた色を配置するように構成された、
請求項３記載の撮像装置。
【請求項５】
前記表示制御部は、前記ガイド画像に、現在の前記フォーカス位置から取得される被写体までの距離に対応する領域に対応付けられた色を指し示すマークを重畳するように構成された、
請求項３記載の撮像装置。
【請求項６】
前記表示制御部は、前記フォーカス位置が変化したときに、前記フォーカス位置から取得される距離に対応する領域内に存在する被写体の色を、前記ガイド画像の中央に配置されている色と同じ色に変化させて前記表示部に表示するように構成された、
請求項３記載の撮像装置。
【請求項７】
前記撮像装置は、
前記フォーカスレンズおよび前記フォーカス操作部を有する鏡筒を着脱可能に装着するように構成された、
請求項３記載の撮像装置。
【請求項８】
フォーカス調整用のフォーカスレンズを通って撮像面に結像する被写体像を撮像して画像データを発生し、前記画像データに基づく画像を表示部に表示する撮像装置、における撮像画像の表示方法であって、
前記画像データ内の単数または複数の被写体のそれぞれに対する距離情報を取得し、
互いに異なる複数の色を、前記撮像装置からの距離に応じて区切られた複数の領域のそれぞれに対応付けし、
前記距離情報に基づき各被写体が複数の前記領域のいずれに該当するかを判断し、
撮像された各被写体を、該当する前記領域に対応付けられた色で前記表示部に表示する、
撮像画像の表示方法。
【請求項９】
フォーカス調整のための手動操作を受け付け、
前記手動操作に応じて前記フォーカスレンズを光軸方向に駆動すると共に、前記フォーカスレンズの位置をフォーカス位置として取得し、前記フォーカス位置に基づき前記撮像装置から前記撮像面においてフォーカスが合っている被写体までの距離を取得し、
前記手動操作の操作方向を示すガイド画像を前記表示部に表示すると共に、前記ガイド画像に、現在の前記フォーカス位置、および前記手動操作の操作方向と前記手動操作により変化する前記フォーカス位置との関係、を示す
請求項８記載の撮像画像の表示方法。
【請求項１０】
前記ガイド画像を、前記複数の色で色分けするとともに、前記手動操作により変化する前記フォーカス位置と前記複数の色とを関連付け、前記フォーカス位置が遠景側に移動する前記手動操作の操作方向を示す部分には、相対的に遠い前記領域に対応付けられた色を配置し、前記フォーカス位置が近景側に移動する前記手動操作の操作方向を示す部分には、相対的に近い前記領域に対応付けられた色を配置する、
請求項９記載の撮像画像の表示方法。
【請求項１１】
前記ガイド画像の、中央部分には、現在の前記フォーカス位置から取得される被写体までの距離に対応する前記領域に対応付けられた色を配置し、前記フォーカス位置が現在よりも遠景に移動する前記手動操作の操作方向を示す部分には、現在の前記フォーカス位置から取得される被写体までの距離よりも遠い前記領域に対応付けられた色を配置し、前記フォーカス位置が現在よりも近景に移動する前記手動操作の操作方向を示す部分には、現在の前記フォーカス位置から取得される被写体までの距離よりも近い前記領域に対応付けられた色を配置する、
請求項１０記載の撮像画像の表示方法。
【発明の詳細な説明】
【技術分野】
【０００１】
本開示は、マニュアルフォーカス（ＭＦ：Ｍａｎｕａｌ  Ｆｏｃｕｓ）機能を備えた撮像装置に関する。
【背景技術】
【０００２】
特許文献１は、使用者が手動でフォーカス調整を行うことができるマニュアルフォーカス機能を備えた撮像装置を開示する。この撮像装置では、使用者がフォーカスリングを回転操作すると、その操作の方向と回転量に応じて光学系のフォーカスレンズが駆動され、光学系のフォーカス位置が移動する。これにより、使用者は、この撮像装置のフォーカスを手動で調整できる。
【０００３】
特許文献２は、ＤＦＤ（Ｄｅｐｔｈ  Ｆｒｏｍ  Ｄｅｆｏｃｕｓ）処理により撮像装置から被写体までの距離を算出する手法を開示する。
【先行技術文献】
【特許文献】
【０００４】
【特許文献１】特開２００９−１０３９１２号公報
【特許文献２】特開２０１３−２１６８２号公報
【発明の概要】
【発明が解決しようとする課題】
【０００５】
本開示は、フォーカス調整を手動で行うことをより容易にするのに有効な撮像装置を提供する。
【課題を解決するための手段】
【０００６】
本開示における撮像装置は、表示部と、撮像面に結像する被写体像を撮像して画像データを出力するように構成された撮像部と、画像データ内の単数または複数の被写体のそれぞれに対する距離情報を取得するように構成された距離情報取得部と、画像データに基づく画像を表示部に表示するように構成された表示制御部と、を備える。そして、表示制御部は、互いに異なる複数の色を、撮像装置からの距離に応じて区切られた複数の領域のそれぞれに対応付けし、距離情報に基づき各被写体が複数の領域のいずれに該当するかを判断し、撮像された各被写体を、該当する領域に対応付けられた色で表示部に表示するように、構成される。
【発明の効果】
【０００７】
本開示における撮像装置は、フォーカス調整を手動で行うことをより容易にするのに有効である。
【図面の簡単な説明】
【０００８】
【図１】図１は、実施の形態１におけるデジタルカメラを前面側からみた斜視図である。
【図２】図２は、実施の形態１におけるデジタルカメラを背面側からみた斜視図である。
【図３】図３は、実施の形態１におけるデジタルカメラの電気的構成図である。
【図４】図４は、実施の形態１におけるデジタルカメラの静止画撮像動作時の処理の流れを示すフローチャートである。
【図５Ａ】図５Ａは、実施の形態１におけるデジタルカメラの表示部に表示される距離画像を重畳したスルー画像の一例を示す図である。
【図５Ｂ】図５Ｂは、実施の形態１におけるデジタルカメラの表示部に表示されるガイド画像を重畳したスルー画像の一例を示す図である。
【図５Ｃ】図５Ｃは、実施の形態１におけるデジタルカメラの表示部に表示されるガイド画像を重畳したスルー画像の他の一例を示す図である。
【図６】図６は、他の実施の形態におけるデジタルカメラの表示部に表示されるガイド画像を重畳したスルー画像の一例を示す図である。
【図７】図７は、他の実施の形態におけるデジタルカメラの表示部に表示されるガイド画像を重畳したスルー画像の他の一例を示す図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために提供されるのであって、これらにより特許請求の範囲に記載の主題を限定することは意図されていない。
【００１１】
（実施の形態１）
以下、図１〜図５を用いて、実施の形態１を説明する。なお、以下では、撮像装置の一例としてデジタルカメラ１００を説明するが、本開示の撮像装置は、何らデジタルカメラ１００に限定されるものではなく、マニュアルフォーカス機能（手動によるフォーカス調整機能）を備えたものであればよい。
【００１２】
［１−１．構成］
図１は、実施の形態１におけるデジタルカメラ１００を前面側からみた斜視図である。図２は、実施の形態１におけるデジタルカメラ１００を背面側からみた斜視図である。
【００１３】
デジタルカメラ１００は、前面に、光学系１１０を納める鏡筒２００を備える。上面には、静止画レリーズ釦２０１、動画レリーズ釦２０６等の操作釦および電源スイッチ２０３を備える。背面には、タッチパネル１０２を搭載する液晶モニタ１２３、ビューファインダ１０１、接眼検出センサ１０３、操作釦、を備える。操作釦には、中央釦２０４、十字釦２０５、モード切替スイッチ２０７、ＡＦ切替スイッチ２１３、等が含まれる。
【００１４】
また、デジタルカメラ１００は、マニュアルフォーカス機能を備えており、フォーカス調整を手動で行うためのフォーカス操作部であるフォーカスリング２１１を鏡筒２００に有する。フォーカスリング２１１は、フォーカス調整のための手動操作を受け付けるように構成されている。鏡筒２００は、着脱可能にデジタルカメラ１００に装着され、鏡筒２００の着脱時には、レンズ取り外し釦２１２を押下する。
【００１５】
なお、デジタルカメラ１００は、鏡筒２００を一体化して備えた構成であってもよい。その場合、レンズ取り外し釦２１２は不要である。
【００１６】
図３は、実施の形態１におけるデジタルカメラ１００の電気的構成図である。
【００１７】
デジタルカメラ１００は、電気的動作に関する動作部として、デジタルカメラ１００の全体の動作を統括制御するコントローラ１３０、デジタルカメラ１００の外装に備えられた操作部１５０、フラッシュメモリ１４２、カードスロット１４１、カードスロット１４１に装着されたメモリカード１４０、レンズ制御部１０５、モータ１１１Ｍ〜１１４Ｍ、モータ１１１Ｍ〜１１４Ｍで駆動される光学系１１０、撮像部であるＣＭＯＳイメージセンサ１２０、ＡＦＥ（Ａｎａｌｏｇ  Ｆｒｏｎｔ  Ｅｎｄ）１２１、画像処理部１２２、バッファメモリ１２４、表示部である液晶モニタ１２３およびビューファインダ１０１、接眼検出センサ１０３、を備える。コントローラ１３０は、フォーカス制御部１３１、表示制御部１３２、を備える。
【００１８】
本開示では、撮像部の一例としてＣＭＯＳイメージセンサ１２０をデジタルカメラ１００が備える構成を説明する。しかし、撮像部は何らＣＭＯＳイメージセンサ１２０に限定されるものではなく、例えばＣＣＤイメージセンサ等であってもよい。
【００１９】
また、本開示では、デジタルカメラ１００は、表示部として液晶モニタ１２３およびビューファインダ１０１を備える構成を説明するが、いずれか一方だけを表示部として備える構成であってもよい。あるいは、信号ケーブルまたは無線等によりデジタルカメラ１００と電気信号的に接続された外部モニタ（図示せず）を表示部として用いる構成であってもよい。
【００２０】
デジタルカメラ１００は、画像を撮像するとき、概略的には次のように動作する。まず、光学系１１０を介して形成された被写体像がＣＭＯＳイメージセンサ１２０の撮像面に結像する。ＣＭＯＳイメージセンサ１２０は、撮像面に結像した被写体像に基づく画像データを生成して出力する。これをＣＭＯＳイメージセンサ１２０による被写体像の撮像とする。次に、撮像により生成された画像データに、ＡＦＥ１２１や画像処理部１２２において各種の処理を施す。そして、処理後の画像データをフラッシュメモリ１４２やメモリカード１４０等の記録媒体に記録する。本実施の形態では、一例として、画像データをメモリカード１４０に記録する例を説明する。メモリカード１４０に記録された画像データは、使用者による操作部１５０の操作に基づき、液晶モニタ１２３またはビューファインダ１０１に表示される。
【００２１】
各部の詳細は以下の通りである。
【００２２】
光学系１１０は、ＣＭＯＳイメージセンサ１２０の撮像面に被写体像を結像させる。光学系１１０は、フォーカスレンズ１１１、ズームレンズ１１２、絞り１１３、シャッター１１４、等により構成される。光学系１１０は、光学式手ぶれ補正（ＯＩＳ：Ｏｐｔｉｃａｌ  Ｉｍａｇｅ  Ｓｔａｂｉｌｉｚｅｒ）レンズ（図示せず）を含んでいてもよい。ＯＩＳレンズを備えた構成では、加速度センサ等のぶれ検出部（図示せず）からの出力に基づいて、コントローラ１３０が、ＣＭＯＳイメージセンサ１２０の撮像面に結像する被写体像のぶれを低減するようにＯＩＳレンズを駆動する。なお、光学系１１０を構成する各種レンズは、１枚または複数枚で構成されてもよく、また、１群または複数群で構成されてもよい。
【００２３】
フォーカスレンズ１１１は、ＣＭＯＳイメージセンサ１２０の撮像面に結像する被写体像のフォーカス調整に用いられる。ズームレンズ１１２は、被写体の画角（撮像範囲）の調節に用いられる。絞り１１３は、ＣＭＯＳイメージセンサ１２０に入射する光量の調節に用いられる。シャッター１１４は、ＣＭＯＳイメージセンサ１２０に入射する光の露出時間の調節に用いられる。
【００２４】
フォーカスレンズ１１１は、モータ１１１Ｍによって駆動され、光学系１１０の光軸方向に移動する。ズームレンズ１１２はモータ１１２Ｍによって駆動され、絞り１１３はモータ１１３Ｍによって駆動され、シャッター１１４はモータ１１４Ｍによって駆動される。モータ１１１Ｍ〜１１４Ｍは、レンズ制御部１０５からの制御信号に基づいて駆動される。
【００２５】
レンズ制御部１０５は、コントローラ１３０からの指示に基づいてモータ１１１Ｍ〜１１４Ｍを駆動し、光学系１１０を制御する。すなわち、モータ１１１Ｍは、コントローラ１３０のフォーカス制御部１３１がレンズ制御部１０５を制御することで、駆動される。したがって、フォーカスレンズ１１１の駆動はフォーカス制御部１３１が実質的に行う。
【００２６】
レンズ制御部１０５は、ハードワイヤードな電子回路で構成してもよく、またはプログラムに基づき動作するマイクロコンピュータ等で構成してもよい。あるいはコントローラ１３０等と共に１つの半導体チップで構成してもよい。
【００２７】
デジタルカメラ１００が被写体像を撮像可能な状態（以下、「撮影モード」と記す）のとき、ＣＭＯＳイメージセンサ１２０は、一定時間毎に新しいフレームの画像データを生成する。この画像データに基づく画像を、以下「スルー画像」と記す。すなわち、スルー画像は、ＣＭＯＳイメージセンサ１２０によって一定の周期で更新される新規な画像データに基づく時間的に連続した画像のことである。
【００２８】
ＡＦＥ１２１では、ＣＭＯＳイメージセンサ１２０から読み出された画像データに対して、相関二重サンプリングによる雑音抑圧、アナログゲインコントローラによる増幅（Ａ／Ｄコンバータの入力レンジ幅に応じた増幅）、Ａ／ＤコンバータによるＡ／Ｄ変換、等を施す。その後、ＡＦＥ１２１は画像データを画像処理部１２２に出力する。
【００２９】
画像処理部１２２は、ＡＦＥ１２１から出力された画像データに対して各種の処理を施す。そして、各種処理を施した画像情報を、一時的にバッファメモリ１２４に記憶する。各種処理は、例えば、スミア補正、ホワイトバランス補正、ガンマ補正、ＹＣ変換処理、電子ズーム処理、圧縮処理、伸張処理、等である。
【００３０】
これらの処理は一般に用いられている画像信号処理であるので、詳細な説明は省略する。また、本開示は各種処理を何らこれらの処理に限定するものではない。
【００３１】
また、画像処理部１２２は、画像データを処理する際に、自動露出制御のための輝度値、ホワイトバランス制御のためのＲＧＢ出力値、等を取得し、これらの情報をコントローラ１３０に通知する。
【００３２】
画像処理部１２２は、距離情報取得部１２５を備えている。距離情報取得部１２５は、撮像された画像を複数の領域に分け、後述のＤＦＤ処理により、各領域において、距離（デジタルカメラ１００からの距離）を算出する。以下、この算出された距離を「距離情報」と記す。画像処理部１２２は、各領域を示すデータに、各領域で算出された距離情報を対応付けて、コントローラ１３０に通知する。
【００３３】
なお、本実施の形態は、何らこの構成に限定されるものではなく、例えば、距離情報の発生順序でその距離情報がどの領域のものかをわかるようにして、距離情報をコントローラ１３０に通知する構成であってもよい。
【００３４】
領域毎に距離情報を算出する動作は、撮像された画像に写された１つまたは複数の被写体のそれぞれに対して距離情報を取得することと実質的に同義と見なすことができる。したがって、本実施の形態では、距離情報取得部１２５において行われる距離情報の算出は、画像データ内の被写体のそれぞれに対して行われるものと見なして、説明を行う。すなわち、距離情報取得部１２５は、撮像された画像の各被写体に対する距離情報を取得しコントローラ１３０に通知するものとして、以下の説明を行う。
【００３５】
なお、画像処理部１２２は、単に領域毎の距離情報をコントローラ１３０に通知する構成であってもよいが、輪郭を抽出する信号処理により各被写体を判別し、被写体を判別するためのデータと距離情報とを対応付けてコントローラ１３０に通知する構成であってもよい。
【００３６】
画像処理部１２２は、ハードワイヤードな電子回路で構成してもよく、またはプログラムに基づき動作するマイクロコンピュータ等で構成してもよい。あるいはコントローラ１３０などと共に１つの半導体チップで構成してもよい。
【００３７】
コントローラ１３０の表示制御部１３２は、画像処理部１２２で処理された画像データに基づき、表示部である液晶モニタ１２３およびビューファインダ１０１を制御する。液晶モニタ１２３またはビューファインダ１０１には、画像処理部１２２で処理された画像データに基づく画像、またはメニュー画面、等が表示される。ビューファインダ１０１は、電子式ビューファインダである。
【００３８】
液晶モニタ１２３またはビューファインダ１０１が表示する画像データに基づく画像には、記録画像と上述したスルー画像とがある。
【００３９】
デジタルカメラ１００が撮影モードのとき、画像処理部１２２は、ＣＭＯＳイメージセンサ１２０が生成する画像データからスルー画像を生成する。したがって、表示制御部１３２は、液晶モニタ１２３またはビューファインダ１０１に、ＣＭＯＳイメージセンサ１２０の撮像面に結像する被写体像に基づく画像を、実質的にリアルタイムで表示する。すなわち、使用者は、液晶モニタ１２３またはビューファインダ１０１に表示されるスルー画像を参照することで、被写体の構図や画角、フォーカスの状態等を確認しながら静止画の撮像や動画撮影を行うことができる。
【００４０】
記録画像とは、デジタルカメラ１００で撮像されメモリカード１４０に記録された画像データに基づく画像のことである。ただし、この画像データは画素数が多く、液晶モニタ１２３またはビューファインダ１０１に表示するのに適してない。したがって、液晶モニタ１２３またはビューファインダ１０１で記録画像を確認する状態（以下、「再生モード」と記す）のときは、記録された画像データの画素数を画像処理部１２２で処理して少なくした画像（低画素数に縮小した画像）を表示に用いる。
【００４１】
なお、メモリカード１４０に記録される画素数の多い画像データは、レリーズ釦によって使用者の操作が受け付けられた直後（例えば、使用者が静止画レリーズ釦２０１を押下した直後）に、ＣＭＯＳイメージセンサ１２０が生成した画像データを画像処理部１２２が処理することにより生成される。
【００４２】
また、表示制御部１３２は、距離情報取得部１２５で算出された距離情報に基づく距離画像を生成し、スルー画像に重畳して表示部に表示することができる。距離画像を重畳したスルー画像とは、各被写体を、算出された距離情報に基づく色で色分けして表示した画像である。この画像は、使用者が、表示部に表示される各被写体の色を見ることで、デジタルカメラ１００から各被写体までの距離を容易に把握できるようにすることを目的とした画像である。
【００４３】
また、表示制御部１３２は、距離画像を重畳したスルー画像に、さらにガイド画像を重畳して表示部に表示することができる。ガイド画像とは、被写体の表示に用いられている複数の色とその色が表す距離との関係を使用者に示すとともに、現在フォーカスが合っている被写体（または現在のフォーカス位置）と、フォーカスリング２１１の操作方向と合焦距離との関係を示す画像である。合焦距離とは、デジタルカメラ１００からフォーカスが合っている被写体までの距離のことである。ガイド画像は、合焦距離を変えて他の被写体にフォーカスを合わせるためにはフォーカスリング２１１をどう操作すればよいかを使用者が容易に把握できるようにすることを目的とした画像である。
【００４４】
距離画像とガイド画像の詳細は後述する。
【００４５】
接眼検出センサ１０３は、ビューファインダ１０１の近傍に配置されており、ビューファインダ１０１に物体が近接したことを検出してコントローラ１３０に通知する。したがって、使用者がビューファインダ１０１を覗き込むために顔を近づける（以下、この動作を「接眼」と記す）と、その接眼を接眼検出センサ１０３は検出することができる。コントローラ１３０は、接眼検出センサ１０３が接眼を検出しているときはビューファインダ１０１に画像を表示し、接眼検出センサ１０３が接眼を検出していないときは液晶モニタ１２３に画像を表示するように、ビューファインダ１０１および液晶モニタ１２３を制御する。
【００４６】
バッファメモリ１２４は、画像処理部１２２やコントローラ１３０のワークメモリ（各種の処理を補助するためにデータを一時的に記憶する記憶装置）として動作する記憶装置である。バッファメモリ１２４はＤＲＡＭ（Ｄｙｎａｍｉｃ  Ｒａｎｄｏｍ  Ａｃｃｅｓｓ  Ｍｅｍｏｒｙ）等の半導体記憶素子で実現できる。
【００４７】
フラッシュメモリ１４２は、画像データやデジタルカメラ１００の設定情報等を書き換え可能に記憶するための内部メモリとして動作する不揮発性型の記憶装置である。
【００４８】
カードスロット１４１は、メモリカード１４０を着脱可能に接続することができ、メモリカード１４０を電気的および機械的に接続する。カードスロット１４１は、メモリカード１４０を制御する機能を備えていてもよく、または、コントローラ１３０とメモリカード１４０とを単に電気的に接続するだけの構成であってもよい。
【００４９】
メモリカード１４０は、内部にフラッシュメモリ等の不揮発性型の半導体記憶素子を備えた記憶装置である。メモリカード１４０は、画像処理部１２２で処理された画像データ等を書き換え可能に記憶する。
【００５０】
操作部１５０は、デジタルカメラ１００の外装に備えられた操作釦や操作ダイヤルの総称であり、使用者による操作を受け付ける。例えば、図１、図２に示した、静止画レリーズ釦２０１、動画レリーズ釦２０６、電源スイッチ２０３、中央釦２０４、十字釦２０５、モード切替スイッチ２０７、ＡＦ切替スイッチ２１３、タッチパネル１０２、フォーカスリング２１１、等が操作部１５０に含まれる。操作部１５０は、使用者による操作を受け付けると、その操作に基づく動作指示信号をコントローラ１３０に通知する。
【００５１】
ＡＦ切替スイッチ２１３は、使用者によるフォーカス制御のモードを切り替える操作を受け付け、その操作に基づく動作指示信号をコントローラ１３０に通知する。コントローラ１３０は、その動作指示信号に基づき、フォーカス制御のモードを、オートフォーカス（ＡＦ：Ａｕｔｏ  Ｆｏｃｕｓ）モードと、マニュアルフォーカス（ＭＦ：Ｍａｎｕａｌ  Ｆｏｃｕｓ）モードとで切り替える。
【００５２】
静止画レリーズ釦２０１は、半押し状態と全押し状態の二段階押下式釦である。静止画レリーズ釦２０１が使用者により半押しされると、コントローラ１３０は、自動露出（ＡＥ：Ａｕｔｏ  Ｅｘｐｏｓｕｒｅ）制御を実行し、また、フォーカス制御がＡＦモードのときにはＡＦ制御を実行して、静止画撮像時の撮像条件を決定する。続いて、静止画レリーズ釦２０１が使用者により全押しされると、コントローラ１３０は静止画撮像処理を行う。コントローラ１３０は、静止画レリーズ釦２０１が全押しされたタイミングで撮像された画像データを、静止画の画像データとしてメモリカード１４０等に記憶する。なお、フォーカス制御がＭＦモードのときには、ＡＦ制御は実行されない。
【００５３】
動画レリーズ釦２０６は、動画の撮影開始／終了を指示するための押下式釦である。動画レリーズ釦２０６が使用者によって押下されると、動画撮影が開始し、コントローラ１３０は、ＣＭＯＳイメージセンサ１２０が連続して生成する画像データに基づき画像処理部１２２が連続して生成する画像データを、動画の画像データとしてメモリカード１４０に順次記憶する。使用者が動画レリーズ釦２０６を再び押下すると、動画撮影は終了する。
【００５４】
電源スイッチ２０３は、デジタルカメラ１００の電源オン・オフを使用者が指示するためのスイッチである。デジタルカメラ１００が電源オフ状態のときに電源スイッチ２０３が使用者によりオン側に操作されると、コントローラ１３０はデジタルカメラ１００を構成する各部に電力を供給し、デジタルカメラ１００は電源オン状態となる。また、デジタルカメラ１００が電源オン状態のときに電源スイッチ２０３が使用者によりオフ側に操作されると、コントローラ１３０は各部への電力供給を停止し、デジタルカメラ１００は電源オフ状態となる。
【００５５】
中央釦２０４は、押下式釦である。デジタルカメラ１００が撮影モードまたは再生モードのときに、中央釦２０４が使用者により押下されると、コントローラ１３０は液晶モニタ１２３にメニュー画面を表示する。メニュー画面は、撮影時または再生時の各種条件を設定するための画面である。メニュー画面で設定された各種条件は、フラッシュメモリ１４２に記憶される。中央釦２０４は決定釦としても機能し、使用者は、各種条件の設定項目を例えば十字釦２０５を用いて選択して中央釦２０４を押下することで、その選択項目を決定することができる。
【００５６】
十字釦２０５は、中央釦２０４の上下左右に近接して設けられた押下式釦であり、上下左右４方向のいずれかを選択して押下することができる。使用者は、十字釦２０５のいずれかを押下することで、液晶モニタ１２３に表示されるメニュー画面の各種条件の設定項目を選択することができる。
【００５７】
モード切替スイッチ２０７は、上下２方向のいずれかを選択して押下することができる押下式釦である。使用者はいずれかの方向を選択してモード切替スイッチ２０７を押下することにより、デジタルカメラ１００を、撮影モードから再生モードに、またはその逆に、切り替えることができる。
【００５８】
タッチパネル１０２は、液晶モニタ１２３の表示面上に設けられている。使用者がタッチパネル１０２に触れると、タッチパネル１０２はその触れられた位置を検出して、その位置を示す信号をコントローラ１３０に出力する。コントローラ１３０は、この信号に基づく制御を行う。この制御に基づく動作の一例として次の動作がある。デジタルカメラ１００をＡＦモードにして静止画撮像を行うとき、使用者が液晶モニタ１２３に表示されるスルー画像の任意の場所に触れると、タッチパネル１０２はその位置を検出してコントローラ１３０に通知する。コントローラ１３０は、その位置に表示された被写体に対してＡＦ制御を行う。
【００５９】
フォーカスリング２１１は、鏡筒２００の周囲に、鏡筒２００に備えられた光学系１１０の光軸を中心とする回転方向に、回転可能に設けられている。デジタルカメラ１００をＭＦモードにして静止画撮像を行うとき、フォーカスリング２１１を使用者が回転させると、回転方向と回転量に応じた信号がコントローラ１３０に通知され、この信号に応じてフォーカス制御部１３１はレンズ制御部１０５を制御する。レンズ制御部１０５は、この制御に基づきモータ１１１Ｍを駆動して、フォーカスレンズ１１１を光学系１１０の光軸方向に移動させる。すなわち、デジタルカメラ１００がＭＦモードのとき、フォーカスレンズ１１１は、使用者によるフォーカスリング２１１の手動操作に基づき駆動される。
【００６０】
以下、フォーカスレンズ１１１の位置（鏡筒２００内における位置）を「フォーカス位置」と記す。フォーカスレンズ１１１は、フォーカス制御部１３１がレンズ制御部１０５を介して駆動するので、現在のフォーカス位置は、フォーカス制御部１３１が把握し取得することができる。
【００６１】
フォーカスレンズ１１１が光軸方向に移動すると、ＣＭＯＳイメージセンサ１２０の撮像面に結像する被写体像のフォーカス状態が変化する。すなわち、デジタルカメラ１００から（またはＣＭＯＳイメージセンサ１２０の撮像面から）、撮像面においてフォーカスが合う（合焦する）被写体までの距離（合焦距離）は、フォーカス位置に応じて変化する。このように、フォーカス位置と合焦距離は、互いに対応付けすることができる。そして、フォーカス制御部１３１は、フォーカス位置と合焦距離とを対応付けた情報を備えており、現在のフォーカス位置から現在の合焦距離を取得することができる。すなわち、フォーカス位置は合焦距離を実質的に表している。
【００６２】
したがって、本実施の形態では、フォーカス位置は、ＣＭＯＳイメージセンサ１２０の撮像面から、撮像面においてフォーカスが合っている（合焦している）被写体までの距離（合焦距離）を指すものとする。
【００６３】
なお、コントローラ１３０は、ハードワイヤードな電子回路で構成してもよく、またはマイクロコンピュータ等で構成してもよい。あるいは、画像処理部１２２等と共に１つの半導体チップで構成してもよい。また、コントローラ１３０を動作させるために必要なデータが書き込まれたＲＯＭは、コントローラ１３０の内部に備えられていてもよく、あるいはコントローラ１３０の外部に備えられていてもよい。
【００６４】
なお、本実施の形態では、画像処理部１２２が距離情報取得部１２５を備え、コントローラ１３０がフォーカス制御部１３１と表示制御部１３２とを備える例を説明したが、距離情報取得部１２５、フォーカス制御部１３１、表示制御部１３２をそれぞれ独立に設ける構成であってもよい。また、画像処理部１２２が距離情報取得部１２５として動作すると共に他の動作も行い、コントローラ１３０がフォーカス制御部１３１および表示制御部１３２として動作すると共に他の動作も行うように、画像処理部１２２およびコントローラ１３０を構成してもよい。
【００６５】
［１−２．動作］
以上のように構成されたデジタルカメラ１００について、その動作を以下説明する。
【００６６】
なお、本開示は、主にフォーカス制御がＭＦモードのときのフォーカス調整に関するものであるので、以下では、フォーカス制御がＭＦモードのときに静止画を撮像するときのデジタルカメラ１００の動作を説明し、フォーカス制御がＡＦモードのときの動作、および記録画像やメニュー画面を表示部に表示するときの動作、等に関する説明は省略する。しかし、本実施の形態に示す各動作は、何らＭＦモードのときだけに限定されるものではない。例えば、本実施の形態に示す動作の一部または全部は、ＡＦモードのときに行われてもよく、また、動画撮影時に行われてもよい。
【００６７】
［１−２−１．ＭＦモードのときの静止画撮像時の基本動作］
図４は、実施の形態１におけるデジタルカメラ１００の静止画撮像動作時の処理の流れを示すフローチャートである。
【００６８】
モード切替スイッチ２０７が使用者の操作を受け付けてデジタルカメラ１００が撮影モードになると、コントローラ１３０は、まず、静止画の画像データを記録するために必要な初期化処理を各部に対して行う（Ｓ４０１）。
【００６９】
次に、コントローラ１３０は、操作部１５０で受け付けられた使用者の操作を確認する処理や、画像を表示部に表示する処理、等の一連の処理を行う。そして、これら一連の処理を所定の周期で繰り返す。これら一連の処理には、モード切替スイッチ２０７の状態の確認（Ｓ４０２）、スルー画像の表示部への表示（Ｓ４０３）、距離情報の算出（Ｓ４０４）、表示画像の距離情報に基づく色分け表示（Ｓ４０５）、ガイド画像の表示部への表示（Ｓ４０６）、フォーカスリングの操作判定（Ｓ４０７）、および静止画レリーズ釦２０１の全押しの監視（Ｓ４１０）、が含まれる。
【００７０】
ステップＳ４０２では、モード切替スイッチ２０７の状態が撮影モードから変化していないかが確認される。モード切替スイッチ２０７の状態が撮影モードから撮影モードでない状態に変化したことが確認されれば（Ｎｏ）、撮影モードにおける一連の処理は終了する。モード切替スイッチ２０７の状態が撮影モードのままであれば（Ｙｅｓ）、一連の処理は継続される。
【００７１】
ステップＳ４０３では、ＣＭＯＳイメージセンサ１２０は、撮像動作を行い、画像データを出力する。画像処理部１２２は、この画像データを処理してスルー画像を生成する。コントローラ１３０は、生成されたスルー画像を液晶モニタ１２３またはビューファインダ１０１に表示する。コントローラ１３０は、接眼検出センサ１０３が接眼を検知していればビューファインダ１０１に、検知していなければ液晶モニタ１２３に、スルー画像を表示する。なお、コントローラ１３０は、液晶モニタ１２３とビューファインダ１０１の双方にスルー画像を表示してもよい。以下、液晶モニタ１２３にスルー画像を表示するときの動作例を説明する。
【００７２】
ステップＳ４０４では、画像処理部１２２の距離情報取得部１２５が、ステップＳ４０３で撮像された２枚の画像データから、ＤＦＤ処理により距離情報を算出する。
【００７３】
この２枚の画像データは、所定の周期で繰り返される一連の処理において、フォーカスレンズ１１１の位置が互いに異なるときにステップＳ４０３の撮像動作で得られる画像データである。すなわち、これら２枚の画像データは、合焦距離が互いに異なる画像データである。したがって、これら２枚の画像データを互いに比較すると、互いに同じ位置におけるボケ量が互いに異なる。これは、ＤＦＤ処理に用いるためである。本実施の形態のデジタルカメラ１００は、これら２枚の画像データを得るために、フォーカス制御がＭＦモードであっても、フォーカス制御部１３１が一時的にフォーカスレンズ１１１を移動させて合焦距離が異なる２枚の画像を撮像する動作を行うことがある。なお、これら２枚の画像データは、連続する２回の撮像動作により得られる画像データであってもよい。
【００７４】
ＤＦＤ処理は、フォーカスレンズ１１１の位置が互いに異なる（合焦距離が互いに異なる）状態で撮像された複数の画像データ間でぼけ相関量を算出し、撮像装置から被写体までの距離情報を生成する処理である。なお、上述したように、ＤＦＤ処理により距離情報を生成する技術は公知であるので、詳細な説明は省略する。
【００７５】
ステップＳ４０５では、コントローラ１３０の表示制御部１３２は、ステップＳ４０４で算出された距離情報に基づく距離画像を生成し、生成した距離画像をスルー画像に重畳して表示部（例えば、液晶モニタ１２３）に表示する。このとき表示部に表示される画像は、撮像された色による画像ではなく、距離情報に基づく色で各被写体を色分けした画像である。
【００７６】
距離画像を重畳したスルー画像の一例を、図５Ａを用いて説明する。図５Ａは、実施の形態１におけるデジタルカメラ１００の表示部に表示される距離画像を重畳したスルー画像の一例を示す図である。
【００７７】
図５Ａに示す例では、１枚の画像に、山５０１、立ち木５０２、家５０３、車５０４、人物５０５、の５つの被写体が撮像されている。
【００７８】
なお、図５Ａおよび以降の図面では、表示部に表示される画像として示す図の中に、Ａ〜Ｅの記号を記しているが、これらの記号は色を表すために便宜的に示しているものであり、実際の表示画像にこれらの記号が表示されるわけではない。
【００７９】
本実施の形態では、まず、デジタルカメラ１００からの距離に応じて、複数の領域を設定する。本実施の形態では、デジタルカメラ１００からの距離が、２ｍ未満の領域、２ｍ以上５ｍ未満の領域、５ｍ以上１５ｍ未満の領域、１５ｍ以上３０ｍ未満の領域、３０ｍ以上の領域、の５つの領域を設定する例を説明する。
【００８０】
そして、互いに異なる複数の色を、各領域に対応付けする。本実施の形態では、３０ｍ以上の領域に色Ａ（例えば、紫色）を、１５ｍ以上３０ｍ未満の領域に色Ｂ（例えば、青色）を、５ｍ以上１５ｍ未満の領域に色Ｃ（例えば、緑色）を、２ｍ以上５ｍ未満の領域に色Ｄ（例えば、黄色）を、２ｍ未満の領域に色Ｅ（例えば、赤色）を、それぞれ対応付ける例を説明する。
【００８１】
なお、これらの設定は単なる一例に過ぎず、本実施の形態は何らこれらの設定に限定されるものではない。
【００８２】
次に、ステップＳ４０４で算出された距離情報に基づき、各被写体がどの領域に該当するかを判断する。本実施の形態は、山５０１は３０ｍ以上の領域に、立ち木５０２は１５ｍ以上３０ｍ未満の領域に、家５０３は５ｍ以上１５ｍ未満の領域に、車５０４は２ｍ以上５ｍ未満の領域に、人物５０５は２ｍ未満の領域に該当すると判断された例を説明する。
【００８３】
この判断に基づき、表示制御部１３２は、各被写体を色分けするための距離画像を生成する。この距離画像は、上記の設定および判断の結果に基づき各被写体を色分けして表示するための画像である。本実施の形態に示す例では、山５０１を色Ａ（例えば、紫色）、立ち木５０２を色Ｂ（例えば、青色）、家５０３を色Ｃ（例えば、緑色）、車５０４を色Ｄ（例えば、黄色）、人物５０５を色Ｅ（例えば、赤色）、で色分けして表示する。したがって、この距離画像をスルー画像に重畳することで、図５Ａに示すように、山５０１を色Ａで、立ち木５０２を色Ｂで、家５０３を色Ｃで、車５０４を色Ｄで、人物５０５を色Ｅで、それぞれ表した画像が表示部に表示される。
【００８４】
このように、距離情報に基づく色で各被写体を色分けしたスルー画像を表示部に表示することで、使用者は、各被写体がどの領域に属するのか、すなわち、デジタルカメラ１００から各被写体までの距離がどの程度なのか、を容易に把握することができるようになる。
【００８５】
なお、空や地面等、平坦でＤＦＤ処理による距離情報の算出が困難な被写体に関しては、例えば、彩色しない、または、撮像されたときの色のままで表示する、または、対応付けに用いられていない他の色で色付けする、等の処理を施す。図５Ａおよび以降の図面にはそれらの被写体を彩色しない例を示す。
【００８６】
次に、ステップＳ４０６では、コントローラ１３０の表示制御部１３２は、ガイド画像５１０を生成し、距離情報に基づき各被写体が色分けされたスルー画像に重畳して、表示部（例えば、液晶モニタ１２３）に表示する。
【００８７】
ガイド画像５１０は、各被写体の表示に用いられている複数の色とその色が表す距離との関係、現在フォーカスが合っている被写体、フォーカスリング２１１の操作方向と合焦距離との関係、を視覚的に表した画像であり、使用者が、合焦距離を変えて他の被写体にフォーカスを合わせるためにはフォーカスリング２１１をどう操作すればよいかを容易に把握できるようにすることを目的とした画像である。
【００８８】
ガイド画像５１０を重畳した画像の一例を、図５Ｂを用いて説明する。図５Ｂは、実施の形態１におけるデジタルカメラ１００の表示部に表示されるガイド画像５１０を重畳したスルー画像の一例を示す図である。
【００８９】
図５Ｂに示すように、ガイド画像５１０は、下方が開口した円弧状で、両方の先端に矢印を設けた形状をしている。この矢印は、鏡筒２００に備えられたフォーカスリング２１１の手動操作方向（手動による回転方向）を示している。また、ガイド画像５１０は、デジタルカメラ１００からの距離に応じて設定された領域のそれぞれに対応付けられた複数の色で色分けされている。図５Ｂに示す例では、色Ａ（例えば、紫色）、色Ｂ（例えば、青色）、色Ｃ（例えば、緑色）、色Ｄ（例えば、黄色）、色Ｅ（例えば、赤色）の５つの色に色分けされている。これらの色は、次のようにガイド画像５１０に配置する。
【００９０】
例えば、フォーカス制御がＭＦモードのとき、フォーカスリング２１１を反時計回りの方向に回転操作するとフォーカス位置が遠景側に、時計回りの方向に回転操作するとフォーカス位置が近景側に、それぞれ変化するようにデジタルカメラ１００が構成されているとする。
【００９１】
このとき、表示制御部１３２は各色をガイド画像５１０上に次のように配置する。
【００９２】
反時計回りの方向を示す矢印の部分には最遠景の領域（例えば、デジタルカメラ１００から３０ｍ以上の領域）に対応付けられた色（例えば、色Ａ）を配置する。時計回りの方向を示す矢印の部分には最近景の領域（例えば、デジタルカメラ１００から２ｍ未満の領域）に対応付けられた色（例えば、色Ｅ）を配置する。ガイド画像５１０の中央５１１には、現在のフォーカス位置が該当する領域に対応付けられた色を配置する。図５Ｂには、現在のフォーカス位置が５ｍ以上１５ｍ未満の領域に該当し、その領域に対応付けられた色Ｃをガイド画像５１０の中央５１１に配置した例を示す。
【００９３】
そして、残りの色は、その色が対応付けられた領域が表す距離に応じて、ガイド画像５１０上に配置する。図５Ｂに示す例では、色Ａと色Ｃの間には、色Ａが対応付けられた領域よりも近く、色Ｃが対応付けられた領域よりも遠い１５ｍ以上３０ｍ未満の領域に対応付けられた色Ｂを配置する。色Ｃと色Ｅの間には、色Ｃが対応付けられた領域よりも近く、色Ｅが対応付けられた領域よりも遠い２ｍ以上５ｍ未満の領域に対応付けられた色Ｄを配置する。したがって、図５Ｂに示す例では、色Ａ〜Ｅは、各色が示す距離が時計回りに近景側に変化する順番で、ガイド画像５１０上に配置されている。
【００９４】
なお、上述の例とは逆に、フォーカスリング２１１を反時計回りの方向に回転操作するとフォーカス位置が近景側に移動するようにデジタルカメラ１００が構成されていれば、図５Ｂに示す例とは逆の順番で各色をガイド画像５１０上に配置する。
【００９５】
なお、フォーカスリング２１１の手動操作による操作方向および操作量とフォーカス位置の移動方向および移動量に関しては、あらかじめデジタルカメラ１００の本体（例えば、コントローラ１３０やフォーカス制御部１３１等）に、それらを互いに対応付けた情報を備える構成としてもよく、あるいは、鏡筒２００とデジタルカメラ１００（例えば、コントローラ１３０）との間で通信を行い、フォーカスリング２１１の手動操作に関する情報およびフォーカスレンズ１１１の駆動に関する制御信号を互いにやり取りする構成であってもよい。
【００９６】
このように、色分けされたスルー画像（例えば、図５Ａに示す画像）にガイド画像５１０を重畳して表示部に表示することで、使用者は、現在フォーカスが合っている被写体、フォーカスを合わせる被写体を変えるときにフォーカスリング２１１をどの回転方向に手動操作すればよいか、を容易に把握することができるようになる。
【００９７】
図５Ｂに示す例では、１）現在フォーカスが合っている被写体は、ガイド画像５１０の中央５１１に配置された色Ｃで表示されている家５０３である、２）色Ｄで表示されている車５０４は色Ｃで表示されている家５０３よりも近景である、３）色Ｅで表示されている人物５０５はさらに近景である、４）色Ｂで表示されている立ち木５０２は色Ｃで表示されている家５０３よりも遠景である、５）色Ａで表示されている山５０１はさらに遠景である、といったことを、使用者は容易に理解することが可能になる。また、６）家５０３よりも近景である車５０４またはさらに近景である人物５０５にフォーカスを合わせるためには、フォーカスリング２１１を、色Ｅが配置されている矢印の方向、すなわち時計回りに回転操作すればよい、７）家５０３よりも遠景である立ち木５０２またはさらに遠景である山５０１にフォーカスを合わせるためには、フォーカスリング２１１を、色Ａが配置されている矢印の方向、すなわち反時計回りに回転操作すればよい、といったことを使用者は容易に理解することが可能になる。
【００９８】
次に、ステップＳ４０７では、使用者の手動操作を受け付けたフォーカスリング２１１から、手動操作の回転方向と回転量に応じた信号がコントローラ１３０に通知される。この信号により、コントローラ１３０は、フォーカスリング２１１が手動操作されたかどうかを判断する。フォーカスリング２１１は手動操作された、とコントローラ１３０が判断したとき（Ｙｅｓ）は、コントローラ１３０のフォーカス制御部１３１は、この信号に応じてレンズ制御部１０５を制御する。レンズ制御部１０５は、この制御に基づきフォーカスレンズ１１１を駆動する。これにより、手動によるフォーカスリング２１１の回転操作の操作方向および回転量に応じてフォーカスレンズ１１１が移動する（Ｓ４０８）。
【００９９】
フォーカスリング２１１は手動操作されていない、とコントローラ１３０が判断したとき（Ｎｏ）は、フォーカス制御部１３１はフォーカスレンズ１１１を駆動しない。
【０１００】
ステップＳ４１０では、使用者の手動操作を受け付けた静止画レリーズ釦２０１から、手動操作に応じた信号がコントローラ１３０に通知される。この信号により、コントローラ１３０は、静止画レリーズ釦２０１が全押しされたかどうかを判断する。静止画レリーズ釦２０１は全押しされていない、とコントローラ１３０が判断したとき（Ｎｏ）は、上述した一連の処理を繰り返すためにステップＳ４０２に戻る。静止画レリーズ釦２０１は全押しされた、とコントローラ１３０が判断したとき（Ｙｅｓ）は、コントローラ１３０は、上述した静止画撮像処理を行い（Ｓ４１１）、その後、上述した一連の処理を繰り返すためにステップＳ４０２に戻る。
【０１０１】
［１−２−２．フォーカスリング２１１が手動操作されたときの動作］
使用者によりフォーカスリング２１１が手動操作されたときの動作を、再度図４を用いて、説明する。
【０１０２】
ステップＳ４０７で使用者によるフォーカスリング２１１の手動操作が検出されると、ステップＳ４０８ではその手動操作に応じてフォーカスレンズ１１１が移動する。
【０１０３】
ステップＳ４１０、Ｓ４１１、Ｓ４０２、Ｓ４０３、Ｓ４０４、Ｓ４０５では上述と同様の動作を行うので説明を省略する。
【０１０４】
ステップＳ４０６では、コントローラ１３０の表示制御部１３２は、移動後のフォーカスレンズ１１１の位置に応じたガイド画像５１０’を生成し、距離情報に基づき各被写体が色分けされたスルー画像（例えば、図５Ａに示す）にガイド画像５１０’を重畳して、表示部（例えば、液晶モニタ１２３）に表示する。
【０１０５】
ガイド画像５１０’を重畳した画像の一例を、図５Ｃを用いて説明する。図５Ｃは、実施の形態１におけるデジタルカメラ１００の表示部に表示されるガイド画像５１０’を重畳したスルー画像の一例を示す図である。
【０１０６】
ガイド画像５１０’は、図５Ｂに示したガイド画像５１０と基本的な構成は同じであるので、重複する説明は省略する。本実施の形態では、フォーカスレンズ１１１の移動によりフォーカス位置が属する領域が変化すれば、その変化に応じて、中央５１１に配置する色を変更する。また、その変更に応じて他の色の配置位置も変更する。ただし、各色の配置の順番は変更しない。
【０１０７】
図５Ｃには、フォーカスレンズ１１１の移動により、フォーカス位置が、２ｍ以上５ｍ未満の領域に属する車５０４に変化したときの例を示す。この場合、中央５１１に配置する色を、色Ｃから、その領域に対応付けられた色Ｄに変更する。また、その変更に応じて、各色の配置位置を変更する。ただし、各色の配置の順番は変更しないので、色Ａ〜色Ｅの配置の順番は、図５Ｂに示したガイド画像５１０と同じである。こうしてガイド画像５１０’には、現在のフォーカス位置が、車５０４が属する色Ｄで表示された領域に変化したことが示される。
【０１０８】
このように、フォーカス位置が変化すれば、それに応じて中央５１１に配置する色が変化するので、使用者は、フォーカスリング２１１を手動操作したときに、どの被写体にフォーカスが合っているのかを容易に理解することが可能になる。
【０１０９】
なお、表示部に表示されるスルー画像を、撮像された色のままで表示するモードと、距離情報に基づき各被写体を色分けして表示するモードとを、使用者が操作部１５０を操作することで任意に切り替えられるようにデジタルカメラ１００を構成してもよい。また、ガイド画像を表示するモードと表示しないモードとを使用者が任意に切り替えられるようにデジタルカメラ１００を構成してもよい。ガイド画像を表示しないモードでは、距離情報に基づき各被写体を色分けしたスルー画像（例えば、図５Ａに示した画像）だけを表示してもよい。
【０１１０】
［１−３．効果等］
以上のように、本実施の形態において、撮像装置であるデジタルカメラ１００は、表示部である液晶モニタ１２３と、撮像部であるＣＭＯＳイメージセンサ１２０と、距離情報取得部１２５と、表示制御部１３２と、を備える。
【０１１１】
ＣＭＯＳイメージセンサ１２０は、撮像面に結像する被写体像を撮像して画像データを出力するように構成されている。
【０１１２】
距離情報取得部１２５は、画像データ内の単数または複数の被写体のそれぞれに対する距離情報を取得するように構成されている。
【０１１３】
表示制御部１３２は、画像データに基づく画像を表示部に表示するように構成されている。また、互いに異なる複数の色を、デジタルカメラ１００からの距離に応じて区切られた複数の領域のそれぞれに対応付けし、距離情報に基づき各被写体が複数の領域のいずれに該当するかを判断し、撮像された各被写体を、該当する領域に対応付けられた色で表示部に表示するように構成されている。
【０１１４】
これにより、使用者は、表示部に表示される各被写体の色を見ることで、デジタルカメラ１００から各被写体までの距離を容易に把握することが可能になる。
【０１１５】
また、撮像装置であるデジタルカメラ１００は、さらに、フォーカス調整用のフォーカスレンズ１１１と、フォーカス操作部であるフォーカスリング２１１と、フォーカス制御部１３１と、を備える。
【０１１６】
フォーカスリング２１１は、フォーカス調整のための手動操作を受け付けるように構成されている。
【０１１７】
フォーカス制御部１３１は、手動操作に応じてフォーカスレンズ１１１を光軸方向に駆動すると共に、フォーカスレンズ１１１の位置をフォーカス位置として取得し、フォーカス位置に基づきデジタルカメラ１００から撮像面においてフォーカスが合っている被写体までの距離を取得するように構成されている。
【０１１８】
そして、表示制御部１３２は、さらに、手動操作の操作方向を示すガイド画像５１０を表示部に表示すると共に、ガイド画像５１０に、現在のフォーカス位置、および手動操作の操作方向と手動操作により変化するフォーカス位置との関係、を示すように構成されている。
【０１１９】
ガイド画像５１０は、例えば、フォーカスリング２１１の手動操作の操作方向を示す形状を有し、デジタルカメラ１００からの距離に応じて設定された複数の領域のそれぞれに対応付けられた複数の色で色分けされる。そして、ガイド画像５１０において、フォーカス位置が近景に移動する操作方向を示す部分には最近景の領域に対応付けられた色を配置し、フォーカス位置が遠景側に移動する操作方向を示す部分には最遠景の領域に対応付けられた色を配置し、その間には、各領域が示す距離に応じた順番で残りの色を配置する。また、中央５１１には現在のフォーカス位置が該当する領域に対応付けられた色を配置する。
【０１２０】
これにより、使用者は、現在フォーカスが合っている被写体を容易に把握することが可能になる。また、フォーカスを合わせる被写体を変えるときに、その被写体が、現在フォーカスが合っている被写体に対して近景にあるのか遠景にあるのか、を容易に把握することが可能となる。また、フォーカスを合わせる被写体を変えるときに、フォーカスリング２１１をどの回転方向に手動操作すればよいか、を容易に把握することが可能になる。
【０１２１】
すなわち、本実施の形態に開示する技術は、使用者が撮像装置のフォーカス調整を手動で行うことをより容易にするのに有効である。
【０１２２】
（他の実施の形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【０１２３】
そこで、以下、他の実施の形態を例示する。
【０１２４】
実施の形態１では、ガイド画像の中央５１１に配置する色および各色の配置位置を現在のフォーカス位置によって設定する例を説明したが、例えば、現在のフォーカス位置を示すマークをガイド画像に重畳することで現在のフォーカス位置を示すように表示制御部１３２を構成してもよい。この例を、図６を用いて説明する。
【０１２５】
図６は、他の実施の形態におけるデジタルカメラ１００の表示部に表示されるガイド画像５１２を重畳したスルー画像の一例を示す図である。
【０１２６】
図６に示すガイド画像５１２は、図５Ｂに示したガイド画像５１０と基本的な構成は同じであるので、重複する説明は省略する。ただし、ガイド画像５１２は、現在のフォーカス位置によって各色の配置位置は変化しない。ガイド画像５１２にはマーク６０１が重畳されており、このマーク６０１によって現在のフォーカス位置が示される。
【０１２７】
図６には、立ち木５０２にフォーカスが合っているときの例を示す。したがって、図６では、立ち木５０２を表示している色と同じ色である色Ｂをマーク６０１は指し示している。そして、図６に示すガイド画像５１２では、フォーカスレンズ１１１の移動によりフォーカス位置が変化すると、その変化に応じて、マーク６０１の位置が変化する。このような構成であっても、使用者は、どの被写体にフォーカスが合っているのかを容易に把握することができる。また、フォーカスを合わせる被写体を変更するときにフォーカスリング２１１をどのように手動操作すればよいかを使用者が容易に把握可能な点は、実施の形態１と同様である。
【０１２８】
あるいは、ガイド画像の中央５１１に配置する色および各色の配置位置を現在のフォーカス位置によって変更するのではなく、現在のフォーカス位置に応じて各被写体を表示する色を変更するように表示制御部１３２を構成してもよい。この例を、図７を用いて説明する。
【０１２９】
図７は、他の実施の形態におけるデジタルカメラ１００の表示部に表示されるガイド画像５１３を重畳したスルー画像の一例を示す図である。
【０１３０】
図７に示すガイド画像５１３は、図５Ｂに示したガイド画像５１０と基本的な構成は同じであるので、重複する説明は省略する。ただし、ガイド画像５１３は、現在のフォーカス位置によって各色の配置位置は変化しない。ガイド画像５１３の中央５１１に配置する色が、現在のフォーカス位置が該当する領域に対応付けられた色である点は、実施の形態１と同じである。ただし、図７に示す例では、現在のフォーカス位置に応じて各被写体を表示する色を変更する。
【０１３１】
例えば、フォーカス位置が家５０３から車５０４に変化した場合、表示部に表示される画像を、図５Ｂに示した画像から、図７に示す画像に変化させる。すなわち、車５０４を表示する色を、色Ｄから、ガイド画像５１３の中央５１１に配置されている色Ｃに変更する。この色の変化は、ガイド画像５１３の配色上では、反時計回りに１つずれたことに相当する。したがって、この変化に合わせて、他の被写体を表示する色を変更する。すなわち、立ち木５０２を表示する色を色Ｂから色Ａに変更し、家５０３を表示する色を色Ｃから色Ｂに変更し、人物５０５を表示する色を色Ｅから色Ｄに変更する。なお、山５０１は、すでに最遠景を表す色Ａで表示されているので、色を変更しない。
【０１３２】
また、図示はしないが、フォーカス位置が家５０３から人物５０５に変化した場合は、人物５０５を表示する色を色Ｅから色Ｃに変更するとともに、立ち木５０２を表示する色を色Ｂから色Ａに変更し、家５０３を表示する色を色Ｃから色Ａに変更し、車５０４を表示する色を色Ｄから色Ｂに変更する。
【０１３３】
あるいは、図示はしないが、フォーカス位置が家５０３から立ち木５０２に変化した場合は、立ち木５０２を表示する色を色Ｂから色Ｃに変更するとともに、山５０１を表示する色を色Ａから色Ｂに変更し、家５０３を表示する色を色Ｃから色Ｄに変更し、車５０４を表示する色を色Ｄから色Ｅに変更する。なお、人物５０５は、すでに最近景を表す色Ｅで表示されているので、色を変更しない。
【０１３４】
このような構成であっても、使用者は、フォーカスがどの被写体に合っているのかを容易に把握することが可能になる。また、フォーカスを合わせる被写体を変更するときにフォーカスリング２１１をどのように手動操作すればよいかを使用者が容易に把握可能な点は、実施の形態１と同様である。
【０１３５】
実施の形態１では、ＤＦＤ処理により距離情報を算出する例を説明したが、他の手法によって距離情報を算出してもよい。例えば、ＣＭＯＳイメージセンサ１２０の撮像面上に位相差センサを設け、これによって距離情報を算出するように構成してもよい。
【０１３６】
実施の形態１では、ガイド画像を、下方が開口した円弧状にし、両方の先端に矢印を設けた形状とする例を説明した。しかし、ガイド画像は、フォーカスリング２１１を手動操作するときの回転方向を使用者が容易に理解できる形状（手動操作するときの回転方向を示す形状）であれば、どのような形状であってもよい。例えば、直線状の矢印や、単なる矩形を色分け表示するようなものであってもよい。
【０１３７】
なお、実施の形態に示した具体的な数値や設定は、単に実施の形態における一例を示したものに過ぎず、本開示はこれらの数値や設定に何ら限定されるものではない。各数値や設定は撮像装置の仕様等にあわせて最適に設定することが望ましい。
【産業上の利用可能性】
【０１３８】
本開示は、手動でフォーカス調整を行う撮像装置に適用可能である。具体的には、デジタルスチルカメラ（静止画撮像装置）、デジタルビデオカメラ（動画撮影装置）、カメラ機能付き携帯電話機、スマートフォン、等に本開示は適用可能である。
【符号の説明】
【０１３９】
１００    デジタルカメラ
１０１    ビューファインダ
１０２    タッチパネル
１０３    接眼検出センサ
１０５    レンズ制御部
１１０    光学系
１１１    フォーカスレンズ
１１１Ｍ，１１２Ｍ，１１３Ｍ，１１４Ｍ    モータ
１１２    ズームレンズ
１１３    絞り
１１４    シャッター
１２０    ＣＭＯＳイメージセンサ
１２１    ＡＦＥ
１２２    画像処理部
１２３    液晶モニタ
１２４    バッファメモリ
１２５    距離情報取得部
１３０    コントローラ
１３１    フォーカス制御部
１３２    表示制御部
１４０    メモリカード
１４１    カードスロット
１４２    フラッシュメモリ
１５０    操作部
２００    鏡筒
２０１    静止画レリーズ釦
２０３    電源スイッチ
２０４    中央釦
２０５    十字釦
２０６    動画レリーズ釦
２０７    モード切替スイッチ
２１１    フォーカスリング
２１２    レンズ取り外し釦
２１３    ＡＦ切替スイッチ
５０１    山
５０２    立ち木
５０３    家
５０４    車
５０５    人物
５１０，５１０’，５１２，５１３    ガイド画像
５１１    中央
【図１】
2015004960.tif 000003
【図２】
2015004960.tif 000004
【図３】
2015004960.tif 000005
【図４】
2015004960.tif 000006
【図５Ａ】
2015004960.tif 000007
【図５Ｂ】
2015004960.tif 000008
【図５Ｃ】
2015004960.tif 000009
【図６】
2015004960.tif 000010
【図７】
2015004960.tif 000011